(57)【要約】【課題】  開口片の周辺部に重層部が形成された缶蓋の開口片が一気に開口されることを防止できるスコア線のある缶蓋を提供する。【解決手段】  外周に缶胴固着用のフランジ部５が一体成形されている略円板形状のパネル部２と、前記パネル部２の周辺近傍に形成されたスコア線９によって区画された開口片６と、前記開口片６の周辺部近傍に固着された開口用タブ１１と、前記開口片６のスコア線９に沿った部分に前記パネル部２を形成している金属板を多重に折り畳んだ重層部８とを備えたスコア線のある缶蓋において、前記重層部８の一部に耐折り曲げ強度を相対的に低下させた弱化部１６が形成されている。【選択図】  図１
2007153428.tif 000002
【特許請求の範囲】
【請求項１】
外周に缶胴固着用のフランジ部が一体成形されている略円板形状のパネル部の周辺近傍に形成されたスコア線によって区画された開口片と、前記開口片の周辺部近傍に固着された開口用タブと、前記開口片のスコア線に沿った部分の前記パネル部を形成している金属板を多重に折り畳んだ重層部とを備えているスコア線のある缶蓋において、
前記重層部の一部に耐折り曲げ強度を相対的に低下させた弱化部が形成されていることを特徴とするスコア線のある缶蓋。
【請求項２】
前記弱化部は、前記重層部の一部を押し潰して形成されていることを特徴とする請求項１に記載のスコア線のある缶蓋。
【請求項３】
前記開口片の膨らみ変形に対する剛性を高くするための直線状のビード部が前記開口片に形成され、前記弱化部はそのビード部の延長位置に形成されていることを特徴とする請求項１または２に記載のスコア線のある缶蓋。
【請求項４】
前記スコア線は、該スコア線で区画される開口片が前記パネル部の５０％以上９９％未満を占め、かつ前記パネル部の周辺部に沿いかつ両端部が離隔した円弧状に形成されるとともに、その両端部の間の部分が前記開口片を前記パネル部に連結しておく連結部とされていることを特徴とする請求項１ないし３のいずれかに記載のスコア線のある缶蓋。
【請求項５】
前記開口用タブは、前記開口片の中心部に対して前記連結部とは反対側に取り付けられ、
さらに前記弱化部は、前記スコア線のうち前記開口用タブによって初期破断される箇所と前記連結部側の端部との間の所定箇所に形成されていることを特徴とする請求項１ないし４のいずれかに記載のスコア線のある缶蓋。
【請求項６】
前記重層部は、前記スコア線で区画される前記開口片の外周縁に沿う全周と、この開口片の外周側に位置する前記パネル部の内周縁の全周とに形成されていることを特徴とする請求項１ないし５のいずれかに記載のスコア線のある缶蓋。
【請求項７】
前記スコア線の両端部を結ぶ箇所に前記開口片の折り曲げを促す折り曲げ誘導部が形成されていることを特徴とする請求項５または６に記載のスコア線のある缶蓋。
【請求項８】
前記折り曲げ誘導部は、前記パネル部の表面に形成した刻み線を含み、
その刻み線に沿うビード部が前記パネル部に形成されている
ことを特徴とする請求項７に記載のスコア線のある缶蓋。
【請求項９】
前記スコア線の前記両端部側の部分に、その端部に向かって耐破断強度が次第に増大する耐破断強度増大部が形成されていることを特徴とする請求項１ないし８のいずれかに記載のスコア線のある缶蓋。
【請求項１０】
前記耐破断強度増大部は、前記スコア線の残厚を徐々に増大させて形成された部分であることを特徴とする請求項９に記載のスコア線のある缶蓋。
【請求項１１】
前記耐破断強度増大部は、前記スコア線の幅を徐々に増大させて形成された部分であることを特徴とする請求項９に記載のスコア線のある缶蓋。
【発明の詳細な説明】
【技術分野】
【０００１】
本発明は、スコア線に沿って破断を生じさせることにより開口するように構成した缶蓋に関し、特に開口片に取り付けたタブを引き上げることによりスコア線に沿う破断を進行させて開口させるように構成した缶蓋（イージーオープンエンド）に関するものである。
【背景技術】
【０００２】
この種の缶蓋は、飲料缶詰や果実あるいは肉類などの固形物を内容物とする缶詰に使用されている。後者の固形物を内容物とする缶詰においては、内容物を取り出しやすくするために、大きく開口させる必要があり、そのために、スコア線を、缶蓋の中央部分におけるほぼ平坦部分であるパネル部の周辺部に形成し、スコア線に沿って破断させることにより、パネル部の広い部分が開口するように構成した缶蓋が開発されている。
【０００３】
その例が、特許文献１ないし特許文献３に記載されている。特許文献１に記載された缶蓋は、いわゆるフルオープンタイプの缶蓋であって、スコア線が環状に形成されている。したがって、スコア線によって区画された開口片を、これに取り付けられたタブによって引き上げると、スコア線に沿う破断が進行し、最終的には開口片がパネル部から離脱し、その結果、大きい開口部を得ることができる。その半面、一気に開口したり、あるいは開口片が急激にパネル部から離脱したりすると、その衝撃で内容物が飛散することがあるので、特許文献１の発明では、スコア線のうちタブが設けられている箇所とは反対側の部分の残厚を厚くし、この部分の耐破断強度を徐々に大きくして、スコア線の破断の進行を、開口操作の終了直前で抑制するようにしている。
【０００４】
また、特許文献２に記載された缶蓋では、スコア線がパネル部の周辺部の半分の領域に形成され、かつそのスコア線の端部同士を結ぶように、例えば刻み線からなる折曲誘導部が設けられている。この特許文献２に記載された缶蓋では、開口片がパネル部のほぼ半分の領域でしか開口しないとしても、開口片が折曲誘導部で折れ曲がるから、開口片が邪魔にならずに実質的な開口面積を大きくするとができ、またその開口片を元に戻すことにより、仮蓋することができる。
【０００５】
さらに、特許文献３に記載された缶蓋は、開口片がパネル部に繋がった状態に残るいわゆるステイ・オンタイプの缶蓋であり、パネル部の５０％以上で９９％未満の領域が開口片となるようにスコア線が形成され、かつそのスコア線は、パネル部の周辺部に沿いかつ両端部が離隔した円弧状に形成されている。この缶蓋では、開口面積を大きくすることができるが、開口片をパネル部に繋ぎ止めておく部分の幅が小さいので、スコア線が一気に破断した場合には、開口片がパネル部から引きちぎられてしまう可能性がある。そこで、特許文献３の発明では、スコア線のうちその端部に近い部分の残厚を徐々に増大させており、こうすることによりこの部分の耐破断強度を増大させて、スコア線が一気に破断してしまうことを抑制している。
【０００６】
【特許文献１】特開２００４−１６１３６０号公報
【特許文献２】特開２００４−１５５４８０号公報
【特許文献３】特開２００５−１３８８５２号公報
【発明の開示】
【発明が解決しようとする課題】
【０００７】
上述した各特許文献に記載された缶蓋では、開口面積を大きくすることができるが、スコア線に沿う破断に伴って生じる鋭利なエッジが開口部のほぼ全周に沿って生じる。また、開口片の外周部のほぼ全周にも鋭利なエッジが生じる。そこで、この鋭利なエッジによる危害を未然に防止するために、スコア線に沿う全周に重層部が形成されている。
【０００８】
この重層部は、セーフティー部とも称される部分であって、開口片となる部分の外周縁部と、開口片の外周側に位置するパネル部の内周縁部とにおいて、パネル部を形成している金属板を折り畳んで形成した部分である。その重層部は、開口片側では、開口片の上面側に多層に折り畳んで形成され、またパネル部側では、パネル部の下面側（缶容器の内側）に多層に折り畳んで形成されており、これらのいわゆる内周側と外周側との重層部の中間部にスコア線が形成されている。
【０００９】
前述したいずれの形式の缶蓋であっても、開口させる場合には、スコア線の破断を徐々に進行させることが好ましく、そのためには、開口片を折り曲げつつ、あるいは湾曲させつつ開口させることが好ましい。しかしながら、上記の重層部が形成されていると、その部分の断面係数が大きくなって剛性が高くなるから、開口片の折り曲げもしくは湾曲が生じにくく、その結果、スコア線の破断が一気に進行して、内容物が飛散しやすくなる。
【００１０】
また一方、缶容器の内圧が高くなった場合、パネル部もしくは開口片がドーム状に膨らみ、開口操作して内圧を下げてもそのドーム状の変形が元に戻らないことがある。このような変形は、開口片の折り曲げや湾曲を阻害する要因になるので、ドーム状の変形を防止するために、開口片にビード部を形成する場合がある。このビード部は、例えば開口片の一部を直線状に窪ませて形成されるが、開口片自体の剛性が高くなるから、重層部の剛性が高いことと相まって、開蓋時における開口片の折り曲げあるいは湾曲が生じにくくなり、その結果、スコア線の破断が一気に進行して、内容物が飛散しやすくなる。
【００１１】
本発明は上記の技術的課題に着目してなされたものであり、開口片の周辺部にいわゆる重層部が形成されている缶蓋であって、スコア線の破断を徐々に進行させて、一気に開蓋することを防止することのできるスコア線のある缶蓋を提供することを目的とするものである。
【課題を解決するための手段】
【００１２】
上記の目的を達成するために、請求項１の発明は、外周に缶胴固着用のフランジ部が一体成形されている略円板形状のパネル部の周辺近傍に形成されたスコア線によって区画された開口片と、前記開口片の周辺部近傍に固着された開口用タブと、前記開口片のスコア線に沿った部分の前記パネル部を形成している金属板を多重に折り畳んだ重層部とを備えているスコア線のある缶蓋において、前記重層部の一部に耐折り曲げ強度を相対的に低下させた弱化部が形成されていることを特徴とするものである。
【００１３】
請求項２の発明は、請求項１の発明において、前記弱化部は、前記重層部の一部を押し潰して形成されていることを特徴とするスコア線のある缶蓋である。
【００１４】
請求項３の発明は、請求項１または２の発明において、前記開口片の膨らみ変形に対する剛性を高くするための直線状のビード部が前記開口片に形成され、前記弱化部はそのビード部の延長位置に形成されていることを特徴とするスコア線のある缶蓋である。
【００１５】
請求項４の発明は、請求項１ないし３のいずれかの発明において、前記スコア線は、該スコア線で区画される開口片が前記パネル部の５０％以上９９％未満を占め、かつ前記パネル部の周辺部に沿いかつ両端部が離隔した円弧状に形成されるとともに、その両端部の間の部分が前記開口片を前記パネル部に連結しておく連結部とされていることを特徴とするスコア線のある缶蓋である。
【００１６】
請求項５の発明は、請求項１ないし４のいずれかの発明において、前記開口用タブは、前記開口片の中心部に対して前記連結部とは反対側に取り付けられ、さらに前記弱化部は、前記スコア線のうち前記開口用タブによって初期破断される箇所と前記連結部側の端部との間の所定箇所に形成されていることを特徴とするスコア線のある缶蓋である。
【００１７】
請求項６の発明は、請求項１ないし５のいずれかの発明において、前記重層部は、前記スコア線で区画される前記開口片の外周縁に沿う全周と、この開口片の外周側に位置する前記パネル部の内周縁の全周とに形成されていることを特徴とするスコア線のある缶蓋である。
【００１８】
請求項７の発明は、請求項５または６の発明において、前記スコア線の両端部を結ぶ箇所に前記開口片の折り曲げを促す折り曲げ誘導部が形成されていることを特徴とするスコア線のある缶蓋である。
【００１９】
請求項８の発明は、請求項７の発明において、前記折り曲げ誘導部は、前記パネル部の表面に形成した刻み線を含み、その刻み線に沿うビード部が前記パネル部に形成されていることを特徴とするスコア線のある缶蓋である。
【００２０】
請求項９の発明は、請求項１ないし８のいずれかの発明において、前記スコア線の前記両端部側の部分に、その端部に向かって耐破断強度が次第に増大する耐破断強度増大部が形成されていることを特徴とするスコア線のある缶蓋である。
【００２１】
請求項１０の発明は、請求項９の発明において、前記耐破断強度増大部は、前記スコア線の残厚を徐々に増大させて形成された部分であることを特徴とするスコア線のある缶蓋である。
【００２２】
請求項１１の発明は、請求項９の発明において、前記耐破断強度増大部は、前記スコア線の幅を徐々に増大させて形成された部分であることを特徴とするスコア線のある缶蓋である。
【発明の効果】
【００２３】
請求項１あるいは２の発明によれば、開口用タブによってスコア線に初期破断を生じさせ、その状態で開口用タブを引き上げることにより、スコア線の破断が進行し、次第に開蓋される。その際、開口片には曲げ荷重が作用し、一方、開口片の周辺部には重層部が形成されていてその剛性が高くなっているが、その重層部には曲げに対する強度が相対的に小さい弱化部が形成されているので、開口片は、主としてその弱化部に対応する箇所で曲がり変形する。そのため、スコア線に沿う破断が徐々に進行し、一気に開蓋することがないので、内容物が飛散するなどの事態を未然に防止することができる。
【００２４】
請求項３の発明によれば、開口片の膨らみ変形に対する剛性がビード部によって高くなっているので、缶容器に巻締めて密封した後、缶容器の内圧が高くなった場合、開口片のドーム状の変形を防止もしくは抑制でき、あるいは開蓋によって内圧が下がった場合に、その変形を解消させることができる。そして、そのビード部は直線状であって、これを谷線とする折り曲げに対して特には強度を示すことがなく、その延長上に重層部における弱化部が形成されているので、開口片の折り曲げあるいは湾曲が更に生じやすく、その結果、一気に開蓋することを防止して開口片を滑らかに開口させることができる。そのビード部は、開口用タブを、これが設けられているパネル部の周辺部からパネル部の中心部を中心とした反対側の周辺部に向けて引く方向に対してほぼ直交する方向に設けることが好ましい。こうすることによりビード部を谷線としたパネル部の折り曲げが生じやすくなる。
【００２５】
請求項４あるいは５の発明によれば、いわゆるステイ・オンタイプの缶蓋であって、開口片の周辺部に設けた重層部に弱化部が形成されているので、開口片を折り曲げあるいは湾曲させつつ滑らかに開口させることができ、その結果、開口片をパネル部に連結している連結部が破断して開口片が離脱するなどの事態を未然に回避することができる。
【００２６】
請求項６の発明によれば、缶容器側に残るパネル部と、開口片との両方に重層部が形成されているので、スコア線に沿って破断することにより生じるエッジ部を隠蔽状態に維持して、安全性を高めることができる。
【００２７】
請求項７あるいは８の発明によれば、いわゆるステイ・オンタイプの缶蓋であって、スコア線の端部まで破断を進行させた後は、開口片が折り曲げ誘導部を境にして容易に折り曲げられるので、開口片が邪魔になることを可及的に抑制することができる。
【００２８】
請求項９ないし１１のいずれかの発明によれば、耐破断強度増大部でスコア線に沿う破断が進行し難くなり、そのために一気に開蓋することが防止もしくは抑制され、その結果、連結部の破断を防止してステイ・オン状態を確実に維持することができる。
【発明を実施するための最良の形態】
【００２９】
本発明に係るスコア線のある缶蓋（以下、缶蓋と記す）１を図１および図２に示してあり、この缶蓋１は、金属板を素材としてプレス成形することにより製造することができる。その金属板としては、日本工業規格（ＪＩＳ）で規定されている３００３合金、３００４合金、５０５２合金、５１８２合金などのアルミニウム合金や、ティンフリースチールなどの表面処理鋼板、ブリキ、クロムメッキ鋼板、アルミメッキ鋼板、ニッケルメッキ鋼板、その他の各種合金メッキ鋼板などを採用することができる。図１および図２に示す缶蓋１は、全体として円形をなしており、その中央部におけるほぼ平坦なパネル部２の外周側に環状溝部３が形成されている。その環状溝部３の外周側の側壁は、チャック壁４であって、パネル部２の上面より高く立ち上がっており、その上端部分は外側に湾曲させられていて、フランジ部５を形成している。これらチャック壁４およびフランジ部５は、従来知られている缶蓋におけるものと同様に、缶胴（図示せず）に巻締めるためのものであり、したがってフランジ部５の内面側に有機高分子製のシール材（図示せず）が塗布される。
【００３０】
前記パネル部２の中心部を中心とした所定半径の範囲でパネル部２の大半の面積を占める部分が開口片６とされている。具体的に説明すると、パネル部２のうち前記環状溝部３より中心側の部分に、金属板を多層に折り返した外側重層部７が形成されている。この外側重層部７は、パネル部２の一部を、下側にかつ外周側に折り返し、さらに下側にかつ中心側に向けて折り返すことにより形成されている。したがって三層構造になっている。
【００３１】
この外側重層部７に繋がる部分に内側重層部８が形成されている。この内側重層部８は、前記外側重層部７からパネル部２の中心側に繋がる金属板の一部を下側にかつ外周側に折り返し、さらに下側にかつ中心側に向けて折り返すことにより形成されている。したがって三層構造になっている。
【００３２】
これらの内側および外側の重層部７，８の中間部にスコア線９が形成されている。このスコア線９は、図３に示すように、パネル部２を形成している金属板の上面に形成された溝状の部分であり、その残厚が他の部分の金属板の厚さより薄くなるために、荷重が掛かった場合に、他の部分に優先してスコア線９に沿って破断が生じるようになっている。したがって開口片６はこのスコア線９によって区画された部分として形成されている。
【００３３】
さらに、スコア線９は、完全な円形に形成することも可能であるが、図示の例では、前記パネル部２の周辺部に沿いかつ両端部が互いに離隔した円弧状に形成されている。したがってスコア線９が形成されていない部分は、金属板の破断を誘発させない部分であって、開口片６をパネル部２に繋ぎ止めておく連結部１０となっている。
【００３４】
前記開口片６のうち、その中心部に対して前記連結部１０とは反対側の外周部に、開口用タブ１１が設けられている。このタブ１１は、梃子作用によって前記スコア線９に初期破断を生じさせるとともに、引き上げることにより剪断荷重を生じさせてスコア線９に沿う破断を進行させるためのものであり、開口片６の一部を上面側に突出させたリベット１２によって開口片６に固着されている。その固着状態で、タブ１１の先端部が開口片６の上面のうちスコア線９に可及的に近い箇所（スコア線の手前側）に位置している。また、これとは反対の後端部には、リング状の指掛け部１１Ａが形成されている。
【００３５】
なお、開口片６におけるリベット１２の近傍には、開蓋時の荷重による変形を容易にしてタブ１１の操作を行いやすくするために、破断する主スコア線１３ａと、破断しない副スコア線１３ｂとからなるベントスコア部１３が形成されている。また、タブ１１の下側の二箇所には、開口片６を形成している金属板を上面側に突出変形させた凸部１４が形成され、タブ１１の下面がこの凸部１４に係合することにより、タブ１１の回転を防止するようになっている。
【００３６】
スコア線９に沿う破断は、タブ１１の先端部で押し下げられることによる初期破断位置から前記連結部１０側の端部に向けて進行するが、スコア線９の形状は、その端部側で破断しにくい形状になっている。これは、一気に開蓋してしまうことを抑制するためである。その形状の一例を図４に示してある。この図４は、円弧状のスコア線９における半分の領域すなわち図１にＰ点で示す初期破断位置から左右にほぼ１４４度の範囲における残厚ｔを展開して示す断面図であり、図４における左側が初期破断位置Ｐであり、右側が前記連結部１０側の端部である。この図に示す例では、初期破断位置Ｐから約６５度の範囲で、残厚ｔが相対的に薄くなっており、その約６５度の位置から約７０度の位置にかけて残厚ｔが次第に厚くなり、約６０μｍの段差部となっている。そして、この約７０度の位置から連結部１０側の端部の領域では残厚ｔが一定になっている。したがって、この図４に示す構成では、初期破断位置Ｐから約６５度以降の領域では、剪断による破断を生じさせるべき面積が大きいことにより、破断しにくくなっており、このように残厚ｔが厚くなる部分がこの発明の耐破断強度増大部に相当する。
【００３７】
前記開口片６には、その膨らみ変形に対する剛性を高くするためのビード部１５が形成されている。このビード部１５は、開口片６の一部を直線状でかつＶ字断面状に下面側へ窪ませて形成されている。図１および図２に示す例では、複数条のビード部１５が形成されており、これらのビード部１５は、タブ１１の引き上げ方向すなわちタブ１１の先端部と前記連結部１０の中心部とを結んだ線に沿う方向に対して直交する方向に向けて形成されている。言い換えれば、前記初期破断板Ｐとパネル部２の中心とを結んだ線に対してほぼ直交する方向、もしくはタブ１１を設けてあるパネル部２の周辺部に対してパネル部２の中心部を中心とした反対側の周辺部に向けてタブ１１を引く方向に対してほぼ直交する方向に向けて形成されている。そして、その少なくとも一方の端部が、開口片６の周辺部の近傍にまで延びている。
【００３８】
これらのビード部１５の高さおよび底部（先端部）の曲率半径は０．２ｍｍ〜１．０ｍｍ程度が好ましく、また間隔は、３ｍｍ〜６ｍｍが好ましく、より好ましくは４ｍｍ〜５．５ｍｍである。その間隔が３ｍｍ未満であれば、梃子作用によるビード部１５の折り曲げがスムースに生じなくなり、また６ｍｍを超えると開蓋時にスコア線９の破断が一気に進行して内容物が飛散する可能性が高くなる。
【００３９】
上記のビード部１５は、開口片６がドーム状に膨らむ変形に対しては、その変形に対抗もしくは抑制するように作用するが、ビード部１５に沿う線を谷線とする折り曲げに対しては、特に強度を示すことがなく、むしろそのような折り曲げを促すように作用する。そこで、開口片６に形成されている前記内側重層部８においても同様の作用を生じさせるために、内側重層部８の上面で前記ビード部１５の延長位置に、折り曲げを助長する弱化部１６が形成されている。この弱化部１６は、内側重層部８の上面の一部を、断面Ｖ字状に押し潰して形成された部分であり、その押し潰し深さ及び押し潰されたＶ字溝の底部の曲率半径は、０．１ｍｍ〜板厚Ｔ（一例として０．２３ｍｍ程度）が好ましく、前記ビード部１５の延長方向に延びている。したがって、内側重層部８に対してこの弱化部１６が、その長手方向に沿う線を谷線とする折り曲げを助長するように作用する。
【００４０】
図５は、上記の弱化部１６を形成するための装置の一例を示しており、前記タブ１１を本カシメする工程で使用されるパンチ１７の外周部の複数箇所には、弱化部１６の形状に対応する形状を先端部に備えた成形刃１８が取り付けられている。このパンチ１７でタブ１１の本カシメを行う工程では、内側重層部８が既に形成されており、したがってパンチ１７がタブ１１の本カシメを行うべくストローク（下降）した場合に、その外周部に取り付けられている成形刃１８が内側重層部８の上面の一部を押し潰し、その結果、前記弱化部１６が形成される。
【００４１】
上記の缶蓋１では、以下のようにして開蓋が進行する。図６は、開蓋時の開口片６の変位を模式的に示す断面図であり、また図７はその開蓋操作時にタブ１１に加える力の変化を示す図であり、先ず、タブ１１の後端部に形成されている指掛け部１１Ａを持ち上げると、タブ１１の先端部が開口片６の上面に押し付けられ、その反力によってリベット１２にこれを引き上げる力が作用するので、ベントスコア部１３が引き上げられる。そのためにタブ１１に加える力が次第に大きくなるが、その過程で前述した主スコア線１３ａが破断する。この破断の直前の状態がベントポップと称される状態であって、このときの力が、図７のＡ点で示される力である。
【００４２】
タブ１１の指掛け部１１Ａを更に引き上げると、リベット１２を支点とし、先端部を作用点とした梃子の作用により、スコア線９のうち前記連結部１０とは反対側の部分の近傍が押し下げられ、ついにはスコア線９に破断が生じる。この破断の直前の状態がスコアポップと称される状態であって、このときの力が、図７のＢ点で示される力である。また、図６の（ａ）には、指掛け部１１Ａをスコアポップと称される状態から更に引き上げた状態を示してある。
【００４３】
その後、タブ１１全体を上方または連結部１０の方向に引くと、スコア線９に沿った破断が連結部１０に向かって進む。したがってその時点では、剪断の開始に伴う応力が生じるので、タブ１１に掛ける力が大きくなる。この状態はティアと称されることがあり、その力は図７のＣ点で示される。
【００４４】
その後、スコア線９に沿う破断が進行し、タブ１１に掛ける力が小さくなるが、前記弱化部１６にまで破断が進行すると、開口片６の折り曲げが生じ、これに伴って破断が中断する。そして、タブ１１に掛ける力が再度、増大することにより、破断が進行する。このような破断と弱化部１６における折り曲げとを繰り返して開蓋が進行するので、開蓋に要する力は、図７に示すように、波状に増減し、かつ次第に小さくなる。なお、図７に示すデータは、前述した耐破断強度増大部を設けていない缶蓋を対象としたものであり、したがって力の増大が生じていないが、耐破断強度増大部を設けてあれば、タブ１１に掛ける力が波状に増減し、最終段階では、耐破断強度増大部に応じて幾分大きくなる。
【００４５】
図６の（ｂ）に、スコア線９の端部にまで破断が進行した状態を示してあり、開口片６のパネル部２に対する破断が停止する。この場合、タブ１１を後方に引く動作が止められるから、それに伴ってタブ１１に掛かる力が一時的に増大する。しかしながら、上述したように弱化部１６が設けられていることによる折り曲げと破断とにより、直前での開蓋のための力が小さくなっているから、連結部１０にまで破断が及ぶことがなく、開口片６はパネル部２に連結された状態に維持される。
【００４６】
また、スコア線９の残厚ｔを厚くし、あるいは幅Ｗを広くするなどのことによる耐破断強度増大部を形成してある場合には、スコア線９の端部に近い箇所での破断の進行の勢いが弱められるので、スコア線９の端部で確実に破断を止めることができ、したがって連結部１０にまで破断が及ぶことをより確実に防止して開口片６をパネル部２に連結した状態に維持することができる。
【００４７】
このようにして開口させた開口片６は、内容物の取り出しに支障とならないように押し下げる。その状態を図６の（ｃ）に記載してある。
【００４８】
なお、ここで、上述した弱化部１６およびビード部１５を形成していない缶蓋についての開蓋に要する力の変化を示すと、図８のとおりである。図８におけるＡ点、Ｂ点、Ｃ点は、図７に示すＡ点、Ｂ点、Ｃ点と同様であって、それぞれベントポップ、スコアポップ、ティアでの力を示している。したがって、弱化部１６およびビード部１５を形成していない場合には、開蓋終了直前での力が大きくなるので、連結部１０にまで破断が及んで開口片６がパネル部２から離脱してしまう可能性があり、また一気に開蓋が進行することによる衝撃で内容物が飛散する可能性がある。
【００４９】
なお、本発明では、図１に示すように、開口片６におけるスコア線９の両端部を結ぶ位置にスコア線に類似した刻み線などからなる折り曲げ誘導部１９を形成してもよい。この折り曲げ誘導部１９は、開口片６の曲げ強度を、平坦部分より小さくすることにより、平坦部分に優先して曲げを生じさせるための部分である。図１に示す例では、この折り曲げ誘導部１９は、前述した初期破断位置Ｐとは最も反対側に位置するビード部１５に対応する位置に形成されており、したがってその折り曲げ誘導部１９の延長線上に弱化部１６が形成されている。このような構成であれば、開蓋あるいは破断の最終段階で、タブ１１に掛けている力が、開口片６を折り曲げるように作用することになり、その結果、前記連結部１０が破断してしまうなどの事態を未然に回避することができる。
【００５０】
また、この発明における耐破断強度増大部は、スコア線９に沿う剪断強度が、図１に点Ｐで示す初期破断位置に近い部分より高くなるように形成された部分であればよく、したがってこの形状は上述した図４に示す形状に限定されない。例えば図９の（ａ）あるいは（ｂ）に示すように構成してもよい。
【００５１】
すなわち、図９の（ａ）は、スコア線９における半分の領域における残厚ｔを展開して示す断面図であり、図９の（ａ）における左側が初期破断位置Ｐであり、右側が前記連結部１０側の端部である。この図に示すように、初期破断位置Ｐから約９０度の範囲で残厚ｔが薄く構成され、ここから連結部１０側の端部までの範囲で残厚ｔが次第に厚くなっており、換言すればスコア線９の深さが浅くなっており、したがって剪断による破断を生じさせるべき面積が大きいことにより、破断しにくくなっている。
【００５２】
また図９の（ｂ）は、スコア線９における半分の領域における幅Ｗの変化を展開して示す平面図であり、図９の（ｂ）における左側が初期破断位置Ｐであり、右側が前記連結部１０側の端部である。この図に示すように、初期破断位置Ｐから約９０度の範囲でスコア線９の幅Ｗが相対的に狭くなっており、ここから連結部１０側の端部までの範囲で幅Ｗが次第に広くなっている。したがって連結部１０側の端部に近い箇所では、スコア線９の底部での応力集中が生じにくいことにより、破断しにくくなっている。
【００５３】
また、本発明における開口片は、パネル部の５０％以上９９％未満の領域を占めるものであってよく、あるいはスコア線がパネル部の中心に対してほぼ１８０度の範囲に形成されていて、開口片がパネル部の半分程度まで開くタイプのものであっもよい。さらには、本発明は、前述したフルオープンタイプのスコア線のある缶蓋にも適用することができ、その場合、スコア線は円形のものとなる。そしてまた、この発明における重層部は、スコア線を挟んだ内外周両側に設ける必要は必ずしもなく、内周側あるいは外周側のいずれか一方のみに重層部を設けた構成であってもよい。
【図面の簡単な説明】
【００５４】
【図１】本発明に係る缶蓋の一例を示す正面図である。
【図２】その缶蓋の縦断側面図である。
【図３】重層部を示す部分拡大断面図である。
【図４】スコア線における耐破断強度増大部の例を示す模式図である。
【図５】弱化部を形成する装置の一例を模式的に示す図である。
【図６】開蓋時における開口片の変位を模式的に示す図である。
【図７】本発明に係る缶蓋における開蓋力の変化を示す図である。
【図８】弱化部およびビードおよびビード部を設けていない比較例としての缶蓋についての開蓋力の変化を示す図である。
【図９】スコア線における耐破断強度増大部の他の例を示す模式図である。
【符号の説明】
【００５５】
１…缶蓋、  ２…パネル部、  ５…フランジ部、  ６…開口片、  ７…外側重層部、  ８…内側重層部、  ９…スコア線、  １０…連結部、  １１…タブ、  １５…ビード部、  １６…弱化部、  １９…折り曲げ誘導部。
【図１】
2007153428.tif 000003
【図２】
2007153428.tif 000004
【図３】
2007153428.tif 000005
【図４】
2007153428.tif 000006
【図５】
2007153428.tif 000007
【図６】
2007153428.tif 000008
【図７】
2007153428.tif 000009
【図８】
2007153428.tif 000010
【図９】
2007153428.tif 000011